(57)【要約】  本発明は、毛細管現象によって液体サンプルを集める装置に関し、当該装置は以下を備える：  −雄パーツ（９）を備える第１の要素（Ａ）    ・・雄パーツ（９）は、第１の入力端部（４）と第２の端部（８）との間で縦方向に延びるとともに、開放された横断面を備える、少なくとも１つのチャネル（５）を備え、チャネル（５）は、チャネルの底面である縦壁（１０）を備えるとともに、チャネル（５）の側面を形成する２つの横壁（１１Ａ、１１ｂ）によって区切られ；  −第１の要素（Ａ）とは別の要素であって、雌パーツ（１２）を備える第２の要素（Ｂ）    ・・雌パーツ（１２）は、雄パーツ（９）を収容するように、窪みの範囲を横方向に限定する周壁（１３）を備え；    ・・雌パーツ（１２）が雄パーツ（９）を収容するとき、周壁（１３）の一部（１４）は、チャネル（５）の横断面をふさぐキャップを形成する。【選択図】図３
2018511061.tif 000002
【特許請求の範囲】
【請求項１】
毛細管現象によって液体サンプルを集めるサンプル収集装置（１）であって：
・雄パーツ（９）を備える第１の要素（Ａ）、
・・前記雄パーツ（９）は、第１の入力端部（４）と第２の端部（８）との間で縦方向に延びるとともに、開放された横断面（open transverse section）を備える、少なくとも１つのチャネル（５）を備え、前記チャネル（５）は、前記チャネルの底面である縦壁（１０）を備えるとともに、前記チャネル（５）の側面を形成する２つの横壁（１１Ａ、１１ｂ）によって区切られ；
・前記第１の要素（Ａ）とは別の要素であって、雌パーツ（１２）を備える第２の要素（Ｂ）、
・・前記雌パーツ（１２）は、前記雄パーツ（９）を収容するように、窪みの範囲を横方向に限定する周壁（１３）を備え；
・・前記雌パーツ（１２）が前記雄パーツ（９）を収容するとき、前記周壁（１３）の一部（１４）は、チャネル（５）の前記横断面（transverse section）をふさぐキャップを形成する、
を備える、サンプル収集装置。
【請求項２】
前記雌パーツ（１２）が前記雄パーツ（９）を収容するとき、前記チャネル（５）の前記横壁（１１Ａ、１１ｂ）の少なくとも１つは、前記チャネル（５）の縦軸を横切る面において、前記チャネル（５）の２つの前記壁（１０、１１Ａ、１１ｂ、１４）の間の距離が、チャネル（５）の横方向の端部に向かうにつれて減少するように配置される、請求項１に記載されたサンプル収集装置。
【請求項３】
前記雄パーツ（９）は、実質的に矩形の横断面を有するプレートから形成され、前記チャネル（５）は、前記雄パーツ（９）を形成する前記プレートのいわゆる縦上面（top longitudinal face）（１６）の位置に配置される、請求項１又は２に記載されたサンプル収集装置。
【請求項４】
前記チャネル（５）は、前記雄パーツ（９）の前記上面（１６）の位置、又は、前記上面の反対側である、前記雄パーツ（９）のいわゆる底面（２８）の位置に配置されている、分析チャンバーと称する部分（２０）を少なくとも１つ備える、請求項３に記載されたサンプル収集装置。
【請求項５】
前記チャネル（５）は、開放された横断面（open transverse section）を有し、前記雄パーツ（９）の前記底面（２８）の位置に配置され、前記チャネル（５）の前記上面（１６）に位置する部分と連通する、少なくとも１つの分析チャンバー（２０）を備え、前記雌パーツが前記雄パーツを収容するとき、前記雌パーツ（１２）の周壁（１３）の一部が、前記分析チャンバー（２０）の前記横断面をふさぐ第２のキャップ（３０）を形成する、請求項４に記載されたサンプル収集装置。
【請求項６】
前記分析チャンバー（２０）は、前記分析チャンバー（２０）の中央ゾーン（central zone）の位置に出現するダクト（２９）によって、前記チャネル（５）の前記上面（１６）に位置する前記部分と連通する、請求項５に記載されたサンプル収集装置。
【請求項７】
前記雌パーツが前記雄パーツを収容するとき、前記キャップ（１４、３０）が、前記チャネル（５）の前記横断面を確実に気密シーリングするように、前記雄パーツ（９）の前記プレートの上面（１６）又は前記上面（１６）の反対側の前記底面（２８）を圧迫するように、前記窪みを定める前記雄パーツ（９）及び前記雌パーツ（１２）の寸法は選択される、請求項３乃至６の何れか一項に記載されたサンプル収集装置。
【請求項８】
前記底縦壁（１０）の表面の少なくとも一部、前記チャネルの前記横壁（１１Ａ、１１ｂ）の表面の少なくとも一部及び／又は前記キャップ（１４、３０）の表面の少なくとも一部は、前記チャネル（５）の他の表面とは異なる濡れ性（wettability）を示す、請求項１乃至７の何れか一項に記載されたサンプル収集装置。
【請求項９】
前記第２の要素（Ｂ）は、前記液体サンプルを受けるための接触面（２）を備え、前記第２の要素（Ｂ）は、前記接触面（２）の位置に前記窪みの収集口（１９）が出現するように前記雌パーツ（１２）に組み付けられ、前記雌パーツが前記雄パーツを収容するとき、前記チャネル（５）の前記第１の入力端部（４）が位置する前記雄パーツ（９）の端部横断壁（１７）は、前記接触面（２）と同一平面上にある、請求項１乃至８の何れか一項に記載されたサンプル収集装置。
【請求項１０】
前記チャネル（５）の前記第２の端部（８）は、前記サンプル収集装置の周囲環境に応じて出現する通気口（２１）と連通する、請求項１乃至９の何れか一項に記載されたサンプル収集装置。
【請求項１１】
前記第１の要素（Ａ）は、前記雄パーツ（９）が組み付けられる保持ヒール（gripping heel）（２３）を備える、請求項１乃至１０の何れか一項に記載されたサンプル収集装置。
【請求項１２】
前記ヒール（２３）は、前記雄パーツ（９）の平面において広がるプレートにより形成され、前記ヒール（２３）の前記プレートに対向する突出部（２５）を少なくとも１つ備える、請求項１１に記載されたサンプル収集装置。
【請求項１３】
前記チャネル（５）は、乾燥された又は凍結乾燥された試薬、少なくとも１つの電極、又は、少なくとも１つの吸収膜（absorbent membrane）を備える、分析チャンバー（２０）を形成する部分を少なくとも１つ備える、請求項１乃至１２の何れか一項に記載されたサンプル収集装置。
【請求項１４】
前記キャップ（１４）と接触するための区切り横壁（delimiting lateral walls）（３２）によってチャネル（５）は横方向に区切られ、前記横壁（３２）は、前記チャネル（５）を少なくとも部分的に囲む周辺ゾーン（peripheral zone）（３１）から前記チャネル（５）を分離するとともに、前記キャップ（１４）に対向するいわゆる底面（１０）を備えるチャネル（５）と前記周壁（１３）に対向するいわゆる周面（３３）を備える周辺ゾーン（peripheral zone）とを分離し、前記底面（１０）の直交軸に沿って、前記周面（３３）と前記対向する周壁（１３）との間の距離が、前記底面（１０）と前記対向するキャップ（１４）との間の距離より大きい、請求項１乃至１３の何れか一項に記載のサンプル収集装置。
【請求項１５】
請求項１乃至１４の何れか一項に記載のサンプル収集装置（１）を用いる液体サンプルを取り出す方法は、以下のステップを備える：
−雄パーツ（９）を備える第１の要素（Ａ）を生産すること、
前記雄パーツは、第１の入力端部（４）と第２の端部（８）との間で縦方向に延びるとともに、開放された横断面（open transverse section）を備える、少なくとも１つのチャネル（５）を備え、前記チャネル（５）は、前記チャネルの底面である縦壁（１０）を備えるとともに、前記チャネル（５）の側面を形成する２つの横壁（１１Ａ、１１ｂ）によって区切られ；
−前記第１の要素（Ａ）とは別の要素であって、雌パーツ（１２）を備える第２の要素（Ｂ）を生産すること、
前記雌パーツ（１２）は、前記雄パーツ（９）を収容するように、窪みの範囲を横方向に限定する周壁（１３）を備え、前記雌パーツ（１２）が前記雄パーツ（９）を収容するとき、前記周壁（１３）の一部（１４）は、チャネル（５）の前記横断面（transverse section）をふさぐキャップを形成する；
−前記チャネル（５）において、機能させる分析チャンバー（２０）を形成するゾーンを機能させること；
−前記雄パーツ（９）を前記雌パーツ（１２）に導入すること。
【発明の詳細な説明】
【技術分野】
【０００１】
本発明の分野は、例えば、化学及び／又は生物学的サンプル等の液体サンプルを分析するために収集することである。また、本発明は、サンプルが毛細管現象によって流れるチャネルを備える、液体サンプルを収集する装置に関し、当該装置によって収集された液体サンプルを分析する方法に関する。
【背景技術】
【０００２】
図１及び２は、特許文献１に記載された毛細管現象によって液体サンプルを収集する装置１の一例を示す。当該装置は、チャネル５の入力端部４において出現する通り口３が提供される接触面２を備える。当該チャネルは、底壁７によって互いに連結され互いに平行な２枚の横壁６ａ、６ｂによって形成され、入力端部４から第２の端部８に縦方向に延びている。
【０００３】
２枚の横壁６ａと横壁６ｂとの間の距離がチャネルの底に向かうにつれて減少するように、底壁７は配置される。このように、液体サンプルが接触面２に置かれると、当該液体サンプルは、入力端部４においてチャネル５に入り、第２の端部８までチャネル５に沿って毛細管現象によって流れる。動力は毛細管現象による力であり、当該力の強さは、底の位置において収束する横壁６ａ、６ｂによって増加される。チャネルの第２の端部８において液体の流れを止めるために、例えば疎水性ゾーン又はチャネルの寸法が急激に広がる部分等の流動停止手段が提供される。
【０００４】
通常、チャネルは、例えば乾燥された又は凍結乾燥された試薬又は電極が提供される、測定チャンバー又は分析チャンバーと呼ばれる部分を備える。
チャネルの横壁は、通常、可視光線又は赤外線に対して透明であるため、乾燥された又は凍結乾燥された試薬がサンプルによって取り入れられることによって開始される化学反応の分析のため、又は、液体サンプルの化学的又は生物学的分析のために、光学測定を実行することができる。
【０００５】
チャネルは、開放された横断面（open transverse section）を有し、すなわち、チャネル５は、底壁７の反対側の縦の部分の全てにわたって周囲環境に対して開放されている。
【先行技術文献】
【特許文献】
【０００６】
【特許文献１】国際公開第２０１４／１３５６５２号
【発明の概要】
【発明が解決しようとする課題】
【０００７】
当該装置の１つの欠点は、特に、チャネルの内面に対して、乾燥された又は凍結乾燥された試薬を配置することによって、又は、電極を設置することによって、又は、局所的に化学的又は生物学的処理を施すによって、当該内面を機能させたい場合に、当該内面にアクセスするのが難しいということである。例えば、乾燥された又は凍結乾燥された試薬によって分析チャンバーを機能させる場合、分析チャンバーにアクセスすることが困難であることによって、試薬を配置させ乾燥させることを難しくし、再生することも難しくする。実際、試薬を含む溶媒を蒸発又は昇華（sublimation）する前に、溶媒が分析チャンバーへ向かって流れるようにチャネルの入力端部に溶媒を導入する必要がある。
【０００８】
さらに、外部に存在する成分によるチャネル汚染の危険性を増やす、当該チャネルの開放された縦の部分の全体を介して、チャネルの内部は外部からアクセス可能であり、液体による外部媒体のコンタミネーションを予防するため、チャネルの内部は、液体サンプルを含む液体をチャネル内に定着させるための手段を形成するように構築されることが要求される。
【０００９】
本発明の目的は、少なくとも部分的に先行技術の欠点を改善することであり、特に、チャネルの内面への単純化されたアクセスとチャネルの効果的な封入を可能にする、毛細管現象によって液体サンプルを集める装置を提案することである。
【課題を解決するための手段】
【００１０】
当該目的のため、本発明は、毛細管現象によって液体サンプルを集める装置を提案する。当該装置は、以下を備える：
−雄パーツを備える第１の要素、
・・前記雄パーツは、第１の入力端部と第２の端部との間で縦方向に延びるとともに、開放された横断面（open transverse section）を備える、少なくとも１つのチャネルを備え、前記チャネルは、前記チャネルの底面である縦壁を備えるとともに、前記チャネルの側面を形成する２つの横壁によって区切られ；
−前記第１の要素とは別の要素であって、雌パーツを備える第２の要素、
・・前記雌パーツは、前記雄パーツを収容するように、窪みの範囲を横方向に限定する周壁を備え；
・・前記雌パーツが前記雄パーツを収容するとき、前記周壁の一部は、チャネルの前記横断面（transverse section）をふさぐキャップを形成する。
【００１１】
好ましくは、雌パーツが前記雄パーツを収容するとき、チャネルの前記横壁の少なくとも１つは、前記チャネルの縦軸を横切る面において、前記チャネルの２つの前記壁の間の距離が、チャネルの横方向の端部に向かうにつれて減少するように配置される。
【００１２】
前記雄パーツは、実質的に矩形の横断面を有するプレートから形成されてもよく、前記チャネルは、前記雄パーツを形成する前記プレートのいわゆる縦上面（top longitudinal face）の位置に配置されてもよい。
【００１３】
前記チャネル（５）は、前記雄パーツ（９）の前記上面（１６）の位置、又は、前記上面の反対側である、前記雄パーツ（９）のいわゆる底面（２８）の位置に配置されている、分析チャンバーと称する部分（２０）を少なくとも１つ備えていてもよい。
【００１４】
１つの実施形態において、前記チャネルは、開放された横断面（open transverse section）を有し、前記雄パーツの前記底面の位置に配置され、チャネルの上面に位置する部分と連通する、少なくとも１つの分析チャンバーを備え、前記雌パーツが前記雄パーツを収容するとき、前記雌パーツの周壁の一部が、前記分析チャンバーの前記横断面をふさぐ第２のキャップを形成する。
【００１５】
前記分析チャンバーは、前記分析チャンバーの中央ゾーン（central zone）の位置に出現するダクトによって、前記チャネルの前記上面に位置する前記部分と連通してもよい。
【００１６】
好ましくは、前記雌パーツが前記雄パーツを収容するとき、前記キャップが、前記チャネルの前記横断面を確実に気密シーリングするように、前記雄パーツの前記プレートの上面又は前記上面の反対側の前記底面を圧迫するように、前記窪みを定める前記雄パーツ及び前記雌パーツの寸法は選択される。
【００１７】
前記底縦壁の表面の少なくとも一部、前記チャネルの前記横壁の表面の少なくとも一部及び／又はキャップの表面の少なくとも一部は、前記チャネルの他の表面とは異なる濡れ性（wettability）を示すことが好ましい。
【００１８】
前記第２の要素は、前記液体サンプルを受けるための接触面を備え、前記第２の要素は、前記接触面の位置に前記窪みの収集口が出現するように前記雌パーツに組み付けられ、前記雌パーツが前記雄パーツを収容するとき、前記チャネルの前記第１の入力端部が位置する前記雄パーツの端部横断壁は、前記接触面と同一平面上にあってもよい。
【００１９】
前記チャネルの前記第２の端部は、前記サンプル収集装置の周囲環境に応じて出現する通気口と連通することが好ましい。
【００２０】
前記第１の要素は、前記雄パーツが組み付けられる保持ヒール（gripping heel）を備えることが好ましい。
【００２１】
前記ヒールは、前記雄パーツの平面において広がるプレートにより形成され、前記ヒールの前記プレートに対向する突出部を少なくとも１つ備えていてもよい。
【００２２】
前記ヒールは、前記雌パーツが前記雄パーツを収容するとき、前記雌パーツの前記周壁に対して当接するための表面を備えていてもよい。
【００２３】
１つの実施形態において、前記チャネルは、乾燥された又は凍結乾燥された試薬、少なくとも１つの電極、又は、少なくとも１つの吸収膜（absorbent membrane）を備える、前記分析チャンバーを形成する部分を少なくとも１つ備える。
【００２４】
前記キャップと接触するための区切り横壁（delimiting lateral walls）によってチャネルは横方向に区切られてもよく、前記横壁は、前記チャネルを少なくとも部分的に囲む周辺ゾーン（peripheral zone）から前記チャネルを分離するとともに、前記キャップに対向するいわゆる底面を備えるチャネルと前記周壁に対向するいわゆる周面を備える周辺ゾーン（peripheral zone）とを分離してもよく、前記底面の直交軸に沿って、前記周面と前記対向する周壁との間の距離が、前記底面と前記対向するキャップとの間の距離より大きい。
【００２５】
本発明は、上記の特徴の何れか１つに係るサンプル収集装置を用いて液体サンプルを取り出す方法にも関し、当該方法は、以下のステップを備える：
−雄パーツを備える第１の要素を生産すること、
前記雄パーツは、第１の入力端部と第２の端部との間で縦方向に延びるとともに、開放された横断面（open transverse section）を備える、少なくとも１つのチャネルを備え、前記チャネルは、前記チャネルの底面である縦壁を備えるとともに、前記チャネルの側面を形成する２つの横壁によって区切られ；
−前記第１の要素とは別の要素であって、雌パーツを備える第２の要素を生産すること、
前記雌パーツは、前記雄パーツを収容するように、窪みの範囲を横方向に限定する周壁を備え、前記雌パーツが前記雄パーツを収容するとき、前記周壁の一部は、チャネルの前記横断面（transverse section）をふさぐキャップを形成する；
−前記チャネルにおいて、機能させる分析チャンバーを形成するゾーンを機能させること；
−前記雄パーツを前記雌パーツに導入すること。
【図面の簡単な説明】
【００２６】
本発明の他の面、目的、利点及び特徴は、非限定的な例である、その好ましい実施形態の以下の詳細な説明を、添付された図面を参照して読むことにより明らかになり、図１及び図２は、すでに上述されている。
【図１】図１は、国際公開第２０１４／１３５６５２に記載された毛細管現象によって液体サンプルを収集する装置の一例を示す。
【図２】図２は、国際公開第２０１４／１３５６５２に記載された毛細管現象によって液体サンプルを収集する装置の一例を示す。
【図３】図３は、１つの実施形態に係る、雄パーツが雌パーツから取り外された状態の、液体サンプルを集める装置の斜視図である。
【図４】図４は、図３に示すサンプル収集装置の第１の要素の斜視図である。
【図５】図５は、１つの実施形態に係るサンプル収集装置のチャネルの横方向の断面の略図である。
【図６】図６は、１つの実施形態に係るサンプル収集装置のチャネルの横方向の断面の略図である。
【図７】図７は、接触面の位置において通気口が出現する実施形態に係る、雄パーツが雌パーツに導入されるサンプル収集装置の正面図である。
【図８】図８は、チャネルの分析チャンバーが吸収膜（absorbent membrane）を備える実施形態にかかる、雄パーツが雌パーツに導入されるサンプル収集装置の正面図である。
【図９Ａ】図９Ａは、チャネルの中の液体サンプルの流れの異なる瞬間を示す、図８に示すサンプル収集装置の一部の縦方向の断面の概略図である。
【図９Ｂ】図９Ｂは、チャネルの中の液体サンプルの流れの異なる瞬間を示す、図８に示すサンプル収集装置の一部の縦方向の断面の概略図である。
【図９Ｃ】図９Ｃは、チャネルの中の液体サンプルの流れの異なる瞬間を示す、図８に示すサンプル収集装置の一部の縦方向の断面の概略図である。
【図９Ｄ】図９Ｄは、チャネルの中の液体サンプルの流れの異なる瞬間を示す、図８に示すサンプル収集装置の一部の縦方向の断面の概略図である。
【図１０Ａ】図１０Ａは、チャネルが少なくとも部分的により大きな深さの周辺ゾーン（peripheral zone）に囲まれている他の１つの実施形態に係る雄パーツの斜視図である。
【図１０Ｂ】図１０Ｂは、チャネルが少なくとも部分的により大きな深さの周辺ゾーン（peripheral zone）に囲まれている他の１つの実施形態に係る雄パーツの平面図である。
【図１０Ｃ】図１０Ｃは、チャネルが少なくとも部分的により大きな深さの周辺ゾーン（peripheral zone）に囲まれている他の１つの実施形態に係る雄パーツの平面図である。
【図１１Ａ】図１１Ａは、雌パーツが雄パーツを収容している当該他の実施形態に係る収集装置の横方向の断面の概略図である。
【図１１Ｂ】図１１Ｂは、雌パーツが雄パーツを収容している当該他の実施形態に係る収集装置の横方向の断面の概略図である。
【図１１Ｃ】図１１Ｃは、雌パーツが雄パーツを収容している当該他の実施形態に係る収集装置の横方向の断面の概略図である。
【図１２Ａ】図１２Ａは、チャネルの入力端部の位置の収集装置の縦方向の断面の概略図である。
【図１２Ｂ】図１２Ｂは、チャネルの入力端部の位置の収集装置の縦方向の断面の略図である。
【図１３Ａ】図１３Ａは、チャネルのベントの上面を示す概略図である。
【図１３Ｂ】図１３Ｂは、チャネルのベントの縦方向の断面を示す概略図である。
【発明を実施するための形態】
【００２７】
図面及び以下の説明において、同じ符号は、同一又は類似する構成要素を意味する。
【００２８】
図３は、１つの実施形態に係る、毛細管現象によって液体サンプルを集めるサンプル収集装置１を示す。
【００２９】
サンプル収集装置は、互いに異なり、当該装置を使用可能となるように互いに協動する、２つの要素Ａ、Ｂを備える。
【００３０】
第１の要素Ａは、開放された横断面（open transverse section)を有するチャネル５を備える雄パーツ９を備える。液体サンプルを受け取り可能な入力端部と呼ばれる第１の端部４と第２の端部８との間で、チャネル５は縦方向に延びる。チャネル５は、チャネル５の側面を形成する２枚の横壁１１ａ、１１ｂによって区切られ、以下の説明で底壁と呼ばれる、縦壁１０によって形成される。
【００３１】
第２の要素Ｂは、雄パーツ９を収容又は受容するための窪みの範囲を横方向に限定する周壁１３によって形成される雌パーツ１２を備える。さらに、雌パーツが雄パーツを収容するとき、縦壁１３の一部は、チャネル５の横断面をふさぐキャップ１４を形成する。
【００３２】
このように、使用可能な液体サンプルを集める装置１を製造するため、第１の要素Ａの雄パーツ９は、第２の要素Ｂの雌パーツ１２に、周壁１３がチャネル５の横断面をふさぐように、好ましくはチャネルの全長にわたって、導入される。次いで、液体サンプルはチャネル５の入力端部４と接触し、これにより、当該液体サンプルがチャネル５に流入し、毛細管現象によって第２の端部８まで流れる。
【００３３】
当該実施形態に係るサンプル収集装置１の２つの異なった要素Ａ及び要素Ｂにおいて、チャネル５は縦方向に開放された横断面を備え：
−雄パーツが雌パーツに収容される前では、チャネルの内部へ直接にアクセスでき；
−雄パーツが雌パーツに収容された後では、チャネルは十分に封入される。
【００３４】
チャネルの内部、すなわち、当該内部体積、及び、その内面の少なくとも一部、へ直接にアクセスできることによって、簡便かつ効果的に、チャネルの内部を部分的又は全体的に、機能させ及び／又は処理することができる。このことは、先行技術に係る実施例では達成できなかった。
【００３５】
このように、液体サンプルと相互作用させることを目的とした、乾燥された又は凍結乾燥された試薬をチャネルに付着させたい場合には、チャネルの内部へ直接にアクセスできることによって、簡便にかつ迅速に、試薬を特に均一に付着させることができる。実際に、先行技術に係る実施例ではチャネルがその入力端部のみからアクセス可能であるのに対して、本実施形態に係るチャネルの内部はその全長にわたって直接アクセス可能である。また、試薬を乾燥又は凍結乾燥するため又は試薬を付着させるための道具の正確な位置決めが単純化され得る。さらに、チャネルの入力端部、中央、又は、出力部分等の所望するゾーンに直接に、簡便に、試薬を局所的に乾燥又は凍結乾燥させ、又は、試薬を局所的に付着させることができる。先行技術に係る実施例は、試薬又は試薬の局所的な位置決めにおいて、そのような簡便さを提供しない。
【００３６】
また、例えば、チャネルの壁の上に１つ以上の化学分子又は生物学的な実体（タンパク質、ＤＮＡ配列、抗体等)を、例えば、共有化学結合（covalent chemical bond）によって、局所的に直接固定することによって、チャネルに電極又は吸収膜（absorbent membrane）を簡便かつ正確に配置させることもでき、化学的にチャネルの内部を機能させることさえできる。
【００３７】
サンプル収集装置は、また、雌パーツが雄パーツを収容するとき（特に、チャネルが効果的に封入されるとき)、チャネル内に存在する液体による外部の周囲環境の汚染及び外部からのチャネルの汚染を制限し、抑制さえする。
【００３８】
図３に示す例では、雄パーツ９は、実質的に矩形の横断面を有するプレート１５によって形成される。チャネル５の入力端部４がプレート１５の端部横断壁１７において出現するように、プレートの縦の表面１６（上面と呼ばれている)の位置に、チャネル５は配置される。ここでは、プレート１５は矩形の横断面を有するが、どんな種類の断面であってもよく、例えば、正方形であってもよく、さらに円形であってもよい。
【００３９】
図３に示すように、３次元正規直交参照フレーム（three-dimensional orthonormal reference frame）は定義され、Ｘ軸は雄パーツ９の縦の軸、Ｙ軸は雄パーツ９の幅、Ｚ軸は雄パーツ９の厚さ方向に向いている。ここで、チャネル５の幅は、Ｙ軸方向の長さ、チャネル５の２枚の壁の間の距離として定義され、チャネル５の深さは、Ｚ軸方向の長さ、チャネル５の２枚の壁の間の距離として定義される。
【００４０】
チャネル５の底縦壁１０は、好ましくは、横方向の断面において、局面を側面１１ａ、１１ｂの各々より大きい。換言すれば、チャネル５の横方向の形状因子（transverse form factor）、すなわち、チャネルの深さに対する幅の比率は、当該実施形態においては、厳密に１より大きく、好ましくは５より大きく、さらに１０より大きい。
【００４１】
図３に示す例では、雌パーツ１２の周壁１３は、雄パーツ９を受けるとともに、好ましくは完全に、収容することができる窪みを形成するように、Ｘ軸に沿って、縦方向に延びる。さらに、周壁１３の内部の寸法は、雌パーツ１２が雄パーツ９を収容するとき、雄パーツ９の外形の表面が周壁１３の内面と接触するように調節される。
【００４２】
当該実施形態においては、周壁１３は、Ｙ−Ｚ平面において、雄パーツ９の矩形の横断面と一致する、実質的に矩形の横断面の窪みをつくる。しかしながら、雄パーツの横断面と相補的な形であれば、他のどの形であってもよい。
【００４３】
特定の実施形態において、周壁１３の横断面の内寸は、Ｘ軸の方向に沿って、雄パーツ９の横断面と相似的に縮小する。これにより、当該装置の２つの要素の組立てを簡便にする円錐−円錐型フィッティングが可能になる。
【００４４】
当該窪みは、雄パーツが導入される挿入開口１８と、反対側の開口１９（収集口と称する）との間に延びており、チャネルに液体サンプルを挿入するために当該液体サンプルを受け取ることができる。
【００４５】
第２の要素Ｂは、当該実施の形態では液体サンプルを受けるためのカップ形状の接触面２を更に備える。雌パーツ１２は、当該窪みの収集口１９が接触面２の位置に出現するように、接触面２に組み付けられる。接触面２は、実質的に直角に雌パーツ１２まで延びるとともに、湾曲して広がった、より具体的には、凸面を有することにより、収集口１９と液体サンプルとの接触を促進することができる。この湾曲面は、また、特に、人間の指先にぶら下がる液滴の配置に適しており、これにより、指先から血液サンプルを毛細管現象により集めることができる。
【００４６】
このように、液体サンプルが接触面２に配置され、収集口１９と接触すると、液体サンプルは入力端部４を介して毛細管現象によってチャネル５に導入される。当該目的のため、接触面２は、図３に示すように、広がった形状を有し、また、雄パーツ９の端部横断壁１７は、同じ曲率半径の湾曲した形状を有することが好ましい。このように、接触面２の表面及び雄パーツ９の端部横断壁１７の表面は、共に、突出したり陥没したりすることなく、チャネルの入力端部の開口以外において実質的に連続的な表面を有する。
【００４７】
チャネル５への毛細管現象による液体サンプルの導入を促進するため、サンプル収集装置の壁は、理想的には９０°未満の接触角（wetting angle）を示し、さらに理想的には５０°未満の接触角（wetting angle）を示す。当該接触角（wetting angle）を元々示す材料を選ぶことによって、あるいは、装置の要素Ａと要素Ｂとが製造された後に化学的に処理することによって、これを達成することができる。酸素プラズマ処理又は酸素存在下の高強度のＵＶランプの照射処理（insolation treatment）を用いてもよい。
【００４８】
図４は、図３に示す実施形態に係る第１の要素を詳細に示す斜視図である。
【００４９】
雄パーツ９の上面１６の位置に配置されるチャネル５は、入力端部４と第２の端部８との間に延びる。本実施形態において、チャネル５は、入力端部４から延びる第１の部分と、チャネルの第２の端部８から延びる第２の部分２０と、を備える。第２の部分２０は、横方向の広がり、すなわち、Ｙ軸に沿う幅の増大を有する。当該第２３の部分２０は、分析チャンバー又は測定チャンバーを形成し、チャンバー内に存在する適切な手段による液体サンプルの分析を可能にする。
【００５０】
第２の端部８の位置において、チャネル５は、チャネルの外気への接触を可能にする通気口２１と連通する。通気口２１は、雄パーツ９を形成するプレートの端部まで延びる。当該実施形態においては、通気口２１は雄パーツ９の上面１６に形成される溝形状を有し、雄パーツの２つの長手方向端部２２につながるように、Ｙ軸に沿って延びる。雌パーツ１２が雄パーツ９を収容するとき、雌パーツ１２の周壁１３は、チャネルの外気への接触を可能にするように、当該通気口と連通するエマージェント開口（emergent opening）（図示省略)を少なくとも１つ備える。
【００５１】
チャネル５は、第２の端部８の位置において、液体の流れを止めるための手段を備える。当該停止手段は、チャネルの内面の少なくとも一部が液体サンプルに対して疎水性であるゾーンであってもよい。当該疎水性は、表面を局所的に処理することによって、又は、疎水性コーティングを配置することによって得られてもよい。当該停止手段は、チャネルの側面、キャップ、及び、底面の全部又は一部に影響を与えてもよい。当該停止手段は、図４に示すように、Ａ．  Ｇｌｉeｒｅ  ａｎｄ  Ｃ．  Ｄｅｌａｔｔｒｅ，  Ｍｏｄｅｌｉｎｇ  ａｎｄ  ｆａｂｒｉｃａｔｉｏｎ  ｏｆ  ｃａｐｉｌｌａｒｙ  ｓｔｏｐ  ｖａｌｖｅｓ  ｆｏｒ  ｐｌａｎａｒ  ｍｉｃｒｏｆｌｕｉｄｉｃ  ｓｙｓｔｅｍｓ，  Ｓｅｎｓ．  Ａｃｔｕａｔｏｒｓ  Ａ，  １３０−１３１  （２００６），  ６０１−６０８に記載されているように、チャネルの横方向の寸法、例えば、Ｙ軸に沿う幅、が広がる形状であってもよい。当該広がりは、液体の流れを引き起こす濡れ性（wettability）の毛細管現象による力を低減することができる。当該停止手段は、チャネルの横断面において延びるチャネルの終端の壁であってもよく、チャンネルの縦方向の流れを妨害する。
【００５２】
雄パーツ９の寸法と雌パーツ１２の窪みの寸法は、雌パーツが雄パーツを収容するとき、雄パーツ９と雌パーツ１２との互いの保持が表面の摩擦によって確実となるような寸法である。図４に示す例では、雄パーツ９は、Ｚ軸に沿う幅、及び、場合によってはＹ軸に沿う幅が、チャネルの入力端部４から離れるにしたがって増加する、長手方向端部２２の一部を備える。このように、雌パーツが雄パーツを収容するとき、雌パーツ１２の周壁１３は、雄パーツ９の当該広がる側部２２ａに対する押圧力（pressing force）を印加することによって、その位置において摩擦によって保持される。
【００５３】
さらに、雄パーツ９の寸法と雌パーツ１２の窪みの寸法は、雌パーツが雄パーツを収容するとき、キャップ１４が、チャネル５の横断面を確実に気密シーリングするように、雄パーツ９の上面１６を圧迫するような寸法、又は、雄パーツ９の上面１６を圧迫するように、チャネル５の横断面を確実に気密シーリングするような寸法である。
【００５４】
第１の要素Ａは、雄パーツ９が固定される、いわゆる保持ヒール（gripping heel）２３を更に備える。ヒール２３は、主に雄パーツ９のＸ−Ｙ平面において、雄パーツ９の長手方向軸であるＸ軸に対して実質的に直角な長手軸であるＹ軸に沿って広がるプレート形状を有する。これにより、ユーザーは装置を容易に取り扱うことができる。
【００５５】
雄パーツが雌パーツに導入されるとき、ヒール２３は、雄パーツの両側に、雌パーツ１２の周壁１３に当接する当接面２４を備える。雄パーツ９及び雌パーツ１２の縦方向の寸法は実質的に等しく、これにより、雌パーツが雄パーツ全体を収容するとき、挿入開口１８の範囲を定める周壁１３の端部がヒール２３と当接面２４と接触し、雄パーツ９の端部横断壁１７が窪みの収集口１９の位置に（接触面２と重なるチャネル５の入力端部４に）位置する。
【００５６】
ヒール２３は、また、ヒール２３のＹ−Ｚ平面上において横方向に延出する突出部２５を、少なくとも１つ、本実施形態においては２つ、備える。これらの突出部２５は、サンプル収集装置の使用又は取扱いにおける如何なるエラーも回避することができる、特に、分析システムの支持に関して装置を正しく設置することができる、キー溝機能（keyway function）を確実にする。
【００５７】
さらに、図７及び図８に示すように、ヒール２３は、例えば、ＱＲコード（登録商標）又はデータ・マトリックス・コードの形式で情報を記入することができる情報記入ゾーン２６を備え、これにより、例えば、チャネル５の分析チャンバー２０に配置された試薬のタイプ、及び／又は、有効期限日又は製造日を確認することができる。
【００５８】
図５及び図６は、２つの変形例に係る、雌パーツが雄パーツを収容する際の、チャネルの横方向の断面を示す概略図である。
【００５９】
ここで、図３において定義される３次元正規直交参照フレーム（three-dimensional orthonormal reference frame）は再度提示される。Ｘ軸は雄パーツの長さ方向、Ｙ軸は雄パーツの幅方向、Ｚ軸は雄パーツの厚さ方向に向いている。チャネルの幅は、Ｙ軸方向の長さ、チャネル５の２枚の壁の間の距離として定義され、チャネルの深さは、チャネルの２枚の壁の間のＺ軸方向に沿う距離として定義される。チャネルの横方向の端部は、Ｙ−Ｚ平面におけるＹ軸に沿った端である。
【００６０】
雄パーツ９は、チャネルの側面を形成する横壁１１ａ、１１ｂによって区切られる底壁１０によって形成される、Ｙ−Ｚ平面において解放された横断面を有する。雌パーツ１２は、キャップ１４を形成する周壁１３の一部を備え、周壁１３の内面は、チャネル５の当該横断面をふさぐように、雄パーツ９の上面１６と接触する。
【００６１】
チャネルにおける液体サンプルを確実に流動させる毛細管現象の力の強さを増やすため、雌パーツが雄パーツを収容する際、チャネルのＹ−Ｚ平面において、チャネルの２枚の壁の間の距離が、Ｙ軸に沿って、チャネルの横方向の端に向かって減少するように、配置される、すなわち、横壁１１ａ、１１ｂの少なくとも１つにおいて、傾ける又は構築することが好ましい。換言すれば、チャネルの深さは、チャネルの何れかの端部の位置において、好ましくは第２の端部に向かって、チャネルの全長にわたって減少する。このように、チャネルの何れかの端部の位置において局所的に狭められたチャネルは、より強力な毛細管現象による力を発生させることができ、これにより、液体の流速を速くすることができる。
【００６２】
図５は、キャップ１４と底壁１０とが、平坦であり、且つ、おたがいに平行である実施形態を示す。横壁１１ａ、１１ｂは、キャップ１４と接触する凹部（recess）を形成するように構築される。したがって、凹部（recess）において、チャネルの深さＰｄ、ここでは、キャップ１４とキャップ１４と平行な横壁１１ａ、１１ｂの部分との間のＺ軸に沿う距離は、キャップ１４と底壁１０との間の中央深さＰより小さい。上述の国際公開第２０１４／１３５６５２に記載されているように、チャネルの端部の位置において局所的に狭い部分は形成され、チャネルにおいて液体サンプルをより速く流動させることができる。
【００６３】
好ましくは、自然毛細管の流れを起こすために、凹部（recess）の寸法は、以下の条件を満たす。
【数１】
2018511061.tif 000003
ここで、Ｌｄは、凹部（recess）のＹ軸に沿う幅であり、すなわち、凹部（recess）の屈曲部とその底との間の距離であり、Ｐｄは、凹部（recess）におけるチャネルの深さであり、θは、三重点（triple point）において液体がチャネルの内面で作る接触角（wetting angle）である。ここで、接触角（wetting angle）は、チャネルのすべての壁において同じであると仮定する。一例として、凹部（recess）の深さＰｄは１ｍｍ以下、好ましくは５００μｍ以下であり、より好ましくは、３０μｍ超過５００μｍ未満であり、さらに好ましくは、１００μｍ超過２００μｍ未満である。凹部（recess）の幅Ｌｄは、好ましくは数ｍｍ未満、例えば、１ｍｍ未満、さらに０．７ｍｍ未満、特に、２００μｍ超過５００μｍ未満である。
【００６４】
図６は、図５に示す実施形態の変形例である、他の実施形態に係るチャネルの横方向の形状を示し、図６に示す実施形態は、チャネル５の横壁１１ａ、１１ｂの配置のみが図５に示す実施形態と異なる。当該実施形態において、横壁１１ａ、１１ｂは、実質的に平坦で、キャップ１４に対して、９０°未満の鋭角を形成するように、傾いている。本実施形態では、チャネル５の端部の位置においてＶ字形状であることにより、チャネル５は局所的に狭くなっている。そして、チャネルの端部の深さは、キャップ１４と横壁１１ａ、１１ｂとの間のＺ軸に沿う距離によって定義される。
【００６５】
好ましくは、コンカス−フィン効果（Concus-Finn effect）に由来する毛細管現象による流動を得るため、横壁１１ａ、１１ｂの傾きは、以下の条件を満たす。
【数２】
2018511061.tif 000004
ここで、θは、上述で定義された接触角（wetting angle）であり、αは、キャップ１４に対する横壁１１ａ、１１ｂの傾き角度である。このように、チャネルの送区部の配置をＶ字形状とすることにより、液体サンプルの界面の位置において「点効果（point effect）」を生み出すことができる。これにより、チャネルにおいて液体の流速を速くすることができる。
【００６６】
当該実施形態においては、例えば、チャネルの深さは１５０μｍであり、キャップ１４の位置におけるチャネルの幅Ｌｍａｘは１３００μｍであり、そして、底壁１０の位置におけるチャネルの幅Ｌｍｉｎは７００μｍである。これにより、キャップに対する横壁１１ａ、１１ｂの傾きαの角度は、約２６°となる。
【００６７】
チャネルの端部においてチャネルを狭くする、これらの実施形態は、一例として挙げられたものであり、他の配置（図示省略)であってもよい。したがって、図６に示す変形例において、横壁は、キャップの表面ではなく底壁の表面に対して鋭角を作るように、反対方向に傾けられてもよい。この場合、チャネルの端部の深さは、横壁と底壁との間のＺ軸に沿う距離によって定義される。横壁が各々Ｖ字形状を形成するように構築される、さらなる他の変形例も可能である。より具体的には、当該横壁は、２つの相互に傾斜した平面部分を有し、底壁と第１の部分との交差における鋭角と、キャップと第２の部分との交差における鋭角とを形成する。当該２つの部分によって形成される交差の半角（half-angle）は、コンカス−フィン条件（Concus-Finn condition）を満たすことが好ましい。
【００６８】
図示されない他の変形例において、横方向の断面において、底壁１０は平坦ではなく、Ｖ字形状となるように構築される。より具体的には、底壁は２つの部分によって形成されてもよく、それぞれの部分はたがいに向かって傾斜しており、当該２つの部分が交差する角度は、１８０°未満であり、好ましくは９０°未満である。
【００６９】
図示されない他の変形例において、横方向の断面において、横壁及び／又は底壁は湾曲した形状を有していてもよい。当該湾曲した形状の横壁は、キャップと交差する位置において当該コンカス−フィン条件（Concus-Finn condition）を満たす鋭角を形成するように配置されることが好ましい。
【００７０】
チャネルの内面上の液体サンプルの接触角（wetting angle）が、３重線（triple line）の位置において、９０°未満であるという事実によって、チャネルの毛細管現象による流動が得られる。したがって、チャネルの表面は、親水性であると言える。そして、濡れ性によって駆動される力（wetting motive force）は、チャネル内において液体を確実に流動させる。チャネルの内面のこの濡れ性（wetting property）は、表面を化学的に処理することによって、特に、例えばＯ２プラズマ等のプラズマ処理によって、付与又は補強することができ、これにより、チャネルにおける液体の接触角（wetting angle）を小さくすることができる。
【００７１】
濡れ性（wettability）、すなわち、３重線（triple line）の位置における、面上の液体形状に関する接触角（wetting angle）)は、チャネルのすべての内面において同一であってもよい。しかしながら、サンプル収集装置の２つの異なる要素Ａ、Ｂを製造することによって、チャネルの異なるゾーン又は内面を特異的に表面処理することができる。雄パーツが雌パーツに挿入される前に、当該表面処理が実行されることにより、チャネルの縦方向の解放された横断面を介して、より一層容易に当該表面処理を実行することができる。このように、チャネルの底壁１０の表面の少なくとも一部、横壁１１ａ、１１ｂの表面の少なくとも一部、及び／又は、キャップ１４の表面の少なくとも一部は、チャネルの他の表面の濡れ性（wettability）と異なる濡れ性（wettability）を示すことができる。換言すれば、キャップ１４の表面、横壁１１ａ、１１ｂの表面、及び／又は、底壁１０の表面は、完全に、又は、部分的に、他の内面と異なる濡れ性（wettability）を有することができる。したがって、チャネルのキャップ１４の表面、横壁１１ａ、１１ｂの表面、及び／又は、底壁１０の表面の局所的な表面処理によって、当該処理された表面の接触角（wetting angle）を調整することができるとともに、特に３重線（triple line）の位置における液体と気体との界面の全体的な形状を調整することができる。そして、当該特異的な表面処理は、特に、チャネル内における気泡の形成を抑制するという好適な効果を奏することができる。
【００７２】
装置、特に、雄パーツ９及び雌パーツ１２は、例えば、ポリカーボネート（polycarbonate）、ポリプロピレン（polypropylene）、ポリエチレン（polyethylene）、サイクロ-オレフィン-共重合体（cyclo-olefine-copolymer）(ＣＯＣ)、サイクロ-オレフィン・ポリマー（cyclo-olefin-polymer）(ＣＯＰ)等のプラスチック材料、又は、適切な他のプラスチック材料を成形又は射出する技術によって、製造されてもよい。
【００７３】
第２の要素Ｂの効果的な成形及び効果的な型離れを保証するために、要素ＢがＸ軸１つにおいて型離れするように、雌パーツ１２を円錐形状に製造することが好ましい。したがって、第２の要素は、１つの型離れ軸を有する型を用いて製造されてもよい。
【００７４】
同時に、第１の要素Ａの形状は、特に、その雄パーツ９について、組み付けにおいて、異なる壁の間の気密性を確保するように確実に接触するように、これらの円錐形を考慮しなければならない。したがって、当該部分は、Ｚ軸に沿う１つの型離れ軸を有する型を用いて製造されてもよい。
【００７５】
雄パーツ９及び雌パーツ１２を形成する材料は、特に、光学的手段を用いて液体サンプルを分析する場合、可視光線又は赤外線に対して透明であることが好ましい。
【００７６】
装置は、数センチメートルオーダーの、例えば、２センチメートルの、Ｘ軸に沿う全長を有していてもよく、カップは、数平方センチメートルの、例えば、２ｃｍ×１ｃｍの表面を有していてもよく、収集口は、数ミリメートルの、例えば、５ｍｍの長さと０．５ｍｍ以上１ｍｍ以下の幅を有していてもよい。雄パーツは、数ミリメートルの、例えば、１０ｍｍ×５ｍｍの長さ及び幅、数百μｍ、数ミリメータの、例えば、１ｍｍの厚さを有していてもよい。チャネルは、数ミリメートル又は数センチメートルの長さ、数百μｍから数ミリメートルの幅、数十μｍから数ミリメートルオーダーの厚さを有していてもよい。１例として、分析チャンバーは、６．５ｍｍのＸ軸に沿う長さ、最も広いゾーンにおいて３ｍｍのＹ軸に沿う幅、及び、１５０μｍのＺ軸に沿う深さ有していてもよい。これらの大きさは、１例として与えられるだけである。
【００７７】
当該装置は、如何なる種類の液体をサンプリングするのに用いることができ、例えば、血液、尿等の体由来の、生物学的液体をサンプリングするのに用いることができる。当該装置は、特に、液体の化学的及び／又は生物学的な分析を行うために、目的とする液体をサンプリングすることができる。
【００７８】
チャネル５は、特に、分析チャンバー２０の位置において、液体サンプルと反応するための試薬によって機能することができる。チャネルにおける表面付着を引き起こす乾燥方法又は３次元固形付着を引き起こす凍結乾燥方法によって、試薬を付着することができる。
【００７９】
試薬を付着するため、雌パーツ１２に雄パーツ９を導入する前に、チャネル５の所望するゾーン、例えば、分析チャンバー２０に、試薬は液体で付着される。乾燥方法では、室温で、及び、気圧下又は真空下で、液体溶媒を蒸発させる。凍結乾燥方法では、試薬を含む溶媒は固められ、溶媒は昇華（sublimate）する。そして、冷凍乾燥させた試薬は、液体サンプルと接触することにより溶解され得る多孔質ボリューム（porous volume）の形状を有する。化学種（species）の間の共有結合による化学的カップリング方法によって、当該装置の壁、特に、底壁１０を、生物学的（ＤＮＡ、抗体、タンパク質等）又は化学的に機能化することができる。
【００８０】
互いに異なる２つの要素の装置を製造することによって、乾燥された又は冷凍乾燥された試薬の付着のステップを簡便化し、短縮し、より正確にすることができる。実際、上述の先行技術に係る実施例では、試薬を含む溶媒をチャネルの入力端部に導入して分析ゾーンまで移動させる必要があるのに対し、本実施形態ではそれが必要ではなく、試薬を含む溶媒を所望するゾーンに直接に付着させることができる。これにより、サンプルの分析の品質の要因である、均一な試薬の付着を達成できるとともに、チャネルの流路の選択された箇所に試薬を局在化させることができ、又は、複数の試薬と反応させるために複数の異なる試薬をチャネルの流路の異なる箇所に局在化させることができる。溶媒の蒸発又は昇華する（sublimation）ステップは、チャネルの横断面が縦方向の全長にわたって解放されているという事実によって表面の当該蒸発又は昇華（sublimation）が促進されるため、速められる。
【００８１】
当該装置は、分析研究所の外部においても適切にサンプルを分析することができるように、使い捨て可能な消耗品として用いることができる。
【００８２】
分析手段は、液体サンプルから出射された又は液体サンプルによって修正された光信号のぶんせきに基づくことができ、雄パーツ及び雌パーツの壁は、測定される光信号の伝送、及び、液体サンプルに向かって分析手段によって出射された励起信号（excitation signal）の伝送を可能にする。例えば、分析チャンバーは励起光信号（excitation light signal）を受光することができ、光センサーは、液体サンプルによる励起光信号の吸収に応じた、液体サンプルから出射される光信号を検出可能なように、又は、液体サンプルの透過に応じて修正された光信号を検出可能なように、配置される。当該光信号の波長は、可視光及び／又は赤外線の範囲内にあり、雄パーツ及び雌パーツは、当該波長に対して透明な材料によって形成される。
【００８３】
分析手段は、液体サンプルの電気的分析に基づくこともでき、チャネルの分析チャンバーに配置されて、電気的に電源に接続される１つ以上の電極を備えていてもよい。
【００８４】
第１の要素Ａのヒールに接触可能な、電極及びコンタクトトラック（contact track）の薄膜付着（thin-film deposition）による電極の実施形態が用いられてもよい。
【００８５】
図７は、他の実施形態に係るサンプル収集装置の正面図であり、外気と接続する通気口は、接触面の位置に出現する。
【００８６】
この図において、雌パーツ１２の周壁１３の端部がヒール２３の表面２４に当接して、雄パーツ９の端部横断壁１７が接触面２の位置に出現するように、雄パーツ９は雌パーツ１２に収容される。
【００８７】
チャネル５は、入力端部４から延びる第１の部分と分析チャンバー２０とを備え、分析チャンバー２０の幅は第１の部分の幅より広く、分析チャンバー２０は、第１の部分と連続している。
【００８８】
チャネル５の第２の端部８の位置において、外気に接続する通気口２１は、分析チャンバー２０及び通気口２１の幅より小さいダクトを介して、分析チャンバー２０に連通している。ベントの幅と当該ダクトの幅とが異なることにより、当該ダクトは、液体の流動停止機能を確実にする。
【００８９】
通気口２１は、雄パーツ９の上面の位置に形成される溝形状を有し、接触面２の位置に出現するためにダクトから延びている。当該実施形態では、雌パーツ１２の周壁１３の位置にエマージェント開口（emergent opening）を形成しないで済む。
【００９０】
図示しない変形例において、ベントは、雄パーツの底面の位置に形成される溝形状であってもよく、雄パーツの厚み方向に延びる分析チャンバーとの流体連通（fluidic communication）を生じさせる。雌パーツの周壁は、当該ベントの開放された横断面をふさぐキャップを形成する部分を備える。
【００９１】
図８は、雄パーツが雌パーツに導入されているサンプル収集装置の正面図であり、図８に示す実施形態において、チャネルの分析チャンバー２０は、上面の反対側に、雄パーツ９の底面の位置に配置され、液体サンプルが染み込む吸収膜２７を備える。
【００９２】
当該実施形態においては、チャネル５は、雄パーツ９の上面の位置において入力端部４から延びる第１の部分と、第１の部分より大きい幅を有し、且つ、第１の部分と流体的に連続し、且つ、雄パーツの底面に位置する分析チャンバー２０と、を備える。
【００９３】
第１の部分と分析チャンバーとは、雄パーツの厚み方向に沿って延びるダクト（図示省略)によって、連通している。好ましくは、ダクトは、分析チャンバー２０の中央ゾーン（central zone）で出現する。
【００９４】
チャネルを外気と接続する通気口２１は、分析チャンバー２０と、当該実施形態においては、接触面２との間に延びているが、雄パーツ９の長手方向端部の位置に出現していてもよく、したがって、雌パーツ１２の周壁１３は、通気口２１の開口部に対向する通り口を備えていてもよい。
【００９５】
雌パーツ１２の周壁１３は、チャネルを確実に封入するように、分析チャンバーの開放された横断面をふさぐキャップを作る部分を備える。
【００９６】
ここで、分析チャンバー２０は、Ｘ−Ｙ平面において、実質的に円形状を有するが、他のどの形状であってもよい。分析チャンバー２０は、チャネル５のダクトが出現する位置においてＸ−Ｙ平面と平行な膜の表面から液体サンプルが染み込むことによって液体サンプルを吸収することができる膜２７を備える。このように、液体サンプルは、基本的に垂直に、膜２７へ染み込み、これにより、膜２７は、膜がチャネルの第１の部分と同じ平面に位置している場合における縦方向の浸透よりも速く且つ均一に液体サンプルを吸収することができる。
【００９７】
当該膜は、いくつかの多孔性材料の堆積から成っていてもよく、当該膜による毛細管現象（又は浸透）によって生体サンプルが移動することによる、確実な、フィルタリング機能、ポンプ機能、ミキシング機能、及び／又は、分析機能を可能にする。
【００９８】
図９Ａ乃至９Ｄは、図８に示すサンプル収集装置の一部の縦方向の断面の概略図であって、チャネルの中の液体サンプルの流れの異なる瞬間を示す。
【００９９】
当該実施形態においては、分析チャンバー２０は、雄パーツの上面１６の反対側に、底面２８の位置に配置されている。雌パーツは、周壁を備え、当該周壁の一部は第２のキャップ３０を形成し、第２のキャップ３０の内面は、分析チャンバー２０の横断面をふさぐ。
【０１００】
液体サンプルは、チャネル５の入力端部４から第１の部分（図９Ａにおいてグレーの塗りで示す部分）へ導入され、図９Ｂに示すように、分析チャンバーと流体連通（fluidic communication）しているダクト２９へと流れる。明確には、ダクト２９は、図９においてチャネルの底壁を例示している点線の中断によって示され、当該ダクト２９は、チャネルの厚み方向、図８に示すＺ軸方向、に延びるチャネル一部によって形成されている。液体サンプルは、図９に示すように、分析チャンバー２０に向かってダクト２９を流れ、膜２７の中央部分と接触し、膜２７に浸透する。液体サンプルは、膜１７の全体で均一に膜２７の厚み方向に沿って浸透する。図９Ｄに示すように、液体サンプルの膜への浸透が終了すると、液体サンプルは、光学的手段によって、例えば、膜又は膜の底面の色の変化を検出することによって、分析されてもよい。
【０１０１】
上述の実施形態の何れか１つに係るサンプル収集装置を製造する方法は、以下のステップを備える：
−雄パーツ９を備える第１の要素Ａを生産すること、
雄パーツ９は、第１の入力端部４と第２の端部８との間で縦方向に延びるとともに、開放された横断面（open transverse section）を備える、少なくとも１つのチャネル５を備え、チャネル５は、当該チャネルの底面である縦壁１０を備えるとともに、チャネル５の側面を形成する２つの横壁１１Ａ、１１ｂによって区切られ；
−第１の要素Ａとは別の要素であって、雌パーツ１２を備える第２の要素Ｂを生産すること、
雌パーツ１２は、雄パーツ９を収容するように、窪みの範囲を横方向に限定する周壁１３を備え、雌パーツ１２が雄パーツ９を収容するとき、周壁１３の一部１４は、チャネル５の横断面（transverse section）をふさぐキャップを形成する；
−分析チャンバー２０を形成するチャネル５のゾーンを機能させること；
−雄パーツ９を雌パーツ１２に導入すること。
【０１０２】
ここで、表面を機能するとは、当該表面上に、例えば、少なくとも１つの乾燥された又は凍結乾燥された試薬、又は、生物学的な種（biological species）又は化学種（chemical species）の共有化学結合（covalent chemical bond）による固定化、少なくとも１本の電極、少なくとも１枚の吸収膜（absorbent membrane）等、液体サンプルと相互作用する要素を少なくとも１つ配置することを意味すると理解されなければならない。
【０１０３】
上述の実施形態の何れか１つに係るサンプル収集装置を用いて、液体サンプルを分析する方法は、以下のステップを備える：
−雌パーツ１２のキャップ１４がチャネル５の横断面を閉じるように、雌パーツ１２に雄パーツ９を導入すること；
−液体サンプルがチャネルの分析チャンバー２０に毛細管現象によって流れるように、チャネル５の第１の入力端部４の位置に液体サンプルを付着させること；
−分析チャンバー２０に存在する液体サンプルを分析すること。
【０１０４】
雌パーツへ雄パーツを導入するステップの前に、チャネルの内面の少なくとも一部に、液体サンプル反応する試薬、吸収膜（absorbent membrane）、電極等を付着させることによって機能させることが好ましい。
【０１０５】
なお、本発明は、上述に説明した実施形態に限定されるものではないことは明らかである。当業者によって、様々な修正がなされ得る。例えば、チャネルは、縦方向に蛇行する形状で延びる、すなわち、方向を変える曲がり角の連続である部分を備えることができる。
【０１０６】
チャネルは、入力端部から延びる第１の部分と連通する複数の部分を備えていてもよく、当該複数の部分はそれぞれ第１の部分とリンクし、それぞれの分析チャンバーへと延びている。
【０１０７】
雄パーツはいくつかのチャネルを備えていてもよく、それぞれのチャネルは、接触面の同じ収集口の位置、又は、互いに異なる収集口の位置で出現する、それぞれのチャネルの入力端部から延びている。
このように、開放された横断面を有する少なくとも１つの第２のチャネルは、プレートの上面の反対側の底面の位置に配置され、上面の位置にあるチャネルと連通でき、雌パーツの周壁の一部は、雌パーツが雄パーツを収容する際、第２のチャネルの横断面をふさぐ第２のキャップを形成する。
【０１０８】
次に、図１０Ａ乃至１０Ｃ、図１１Ａ乃至１１Ｃ、図１２Ａ乃至１２ｂ、図１３Ａ乃至１３ｂを参照して、上述の雌パーツ１２と協働する、他の実施形態に係る雄パーツ９について説明する。
【０１０９】
図１０Ａは、雄パーツの斜視図であり、図１０ｂは、図１０Ａに示す雄パーツの上面を部分的に示す図であり、図１０Ｃは、図１０Ａに示す雄パーツの下面を部分的に示す図である。
【０１１０】
雄パーツ９は、主に、チャネル５の中央深さＰｃより深い、周辺ゾーン（peripheral zone）３１、又は、周辺ボイド（peripheral void）によってチャネル５が区切られている点が、上述の実施形態に係る例と異なる。
【０１１１】
より具体的には、雄パーツ９のプレート１５は、上面１６の位置に、区切り横壁（delimiting lateral walls）３２を備え、当該区切り横壁３２は、チャネル５の縦方向であるＸ軸に沿ってプレート１５の端部横断壁１７から延びている。これらの区切り横壁３２は、プレート１５の上面１６から突き出ている部分である。これらの区切り横壁３２は、プレート１５の上面１６を以下の２つのゾーンに分離する：
−チャネル５を形成する第１のゾーンであって、当該第１のゾーンは、底面１０と区切り横壁３２の内面３２ａ（横壁１１ａ、１１ｂに相当する）とによって範囲が定められ、当該第１のゾーンの中央深さＰｃは、底面１０と区切り横壁３２の上面３２ｂを通る平面との間の底面１０と実質的に直交するＺ軸に沿う距離によって定義され；及び、
−少なくとも部分的にチャネル５の周りで延びる周辺ゾーン（peripheral zone）３１であって、当該周辺ゾーンは、底面１０の外側のプレート１５の上面１６と、区切り横壁３２の外面３２ｃ（内面３２ａの反対側の面)とによって区切られ、当該周辺ゾーン（peripheral zone）は、チャネル５の中央深さＰｃより深い深さＰｐの周辺ボイド（peripheral void）を形成する。
【０１１２】
このように、プレート１５の上面１６は、上面１６から突出する区切り横壁３２によってお互いから分離される、チャネル５の底面１０及び周辺ゾーン（peripheral zone）３１の周面３３と、を備え、当該周面３３は、周辺ゾーン（peripheral zone）３１がチャネル５の中央深さＰｃより深いボイド（void）を形成するように、底面１０に凹部（recess）を形成する。
【０１１３】
図１１Ａに示すように、それぞれの区切り横壁３２は上面３２ｂを備え、当該上面３２ｂは、雌パーツ１２が雄パーツ９を収容するとき、キャップ１４と接触する。そして、上面３２ｂは、内面３２ａと外面３２ｃとを連結する。それぞれの区切り横壁３２の内面３２ａは、キャップ１４に対して４５°未満、例えば３０°の鋭角を形成するように、底面１０に対して傾いていることが好ましく、周辺ゾーン（peripheral zone）の位置において急激に深さが変化するように、外面３２ｃは、内面３２ａの鋭角より大きい角度、好ましくは６０°以上、より好ましくは９０°以上の角度を形成するように、キャップ１４に対して傾いている。
【０１１４】
図１０Ｂに示すように、２つの区切り横壁３２は、チャネル５の入力端部４を形成するようにプレート１５の端面１７の位置において、お互いから離れており、チャネル５の縦方向であるＸ軸に沿って延び、チャネル５の終端８の位置においてお互いに向かって収束することによって、チャネル５においておそらく当初に含まれるガスを排出するためのダクト３４を形成し（図１３ａ及び図１３ｂを参照して以下で詳述する）、チャネル５と周辺ゾーン（peripheral zone）３１との間の流体連通（fluidic communication）を可能にする。
【０１１５】
単なる例として、チャネル５の中央深さＰｃは約１５０μｍであってもよく、周辺ゾーン（peripheral zone）３１の深さＰｐは約１８０μｍであってもよい。内面３２ａは、キャップ対して約３０°傾いていてもよい。２つの内面３２ａは、チャネル５の入力端部４の位置において約０．７０ｍｍ、チャネルの中央において約１．５ｍｍ、チャネル５の終端８の位置において約０．２５ｍｍ離れていてもよい。
【０１１６】
当該実施形態においては、周辺ゾーン（peripheral zone）３１は、プレート１５の上面１６の位置だけでなく底面２８の位置において、長手方向端部２２まで延びている。周辺ゾーン（peripheral zone）深さを実質的に一定に保つため、スペーサーは底面２８の長手方向端部２２の位置に配置される。
【０１１７】
このように、スペーサー３５は、当該長手方向端部２２からそれぞれ突出する間隔ブロック（spacing block）の形で、長手方向端部２２の位置に配置される。当該スペーサー３５は、雌パーツ１２の周壁１３と対向する面と長手方向端部２２との間を実質的に一定な間隔に維持し、当該間隔は、チャネル５の中央深さ（例えば、深さＰｐと実質的に等しい値)より大きい値を有する。
【０１１８】
図１０Ｃに示すように、スペーサー３６は、また、プレート１５の底面２８から突出する間隔レール（spacing rail）又は間隔壁（spacing wall）の形で、当該底面２８の位置に配置される。これらのスペーサー３６も、雌パーツ１２の周壁１３と対抗する面と底面２８との間を実質的に一定な間隔に維持し、当該間隔は、チャネル５の中央深さ（例えば、深さＰｐと実質的に等しい値)より大きい値を有する。
【０１１９】
図１１Ａ及び図１１Ｂは、雌パーツ１２が雄パーツ９を収容している収集装置の一部の横方向の断面を示す概略図であり、図１１Ａは、チャネル５の位置において、区切り横壁３２がキャップ１４と接触している状態を示し、図１１Ｂは、キャップ１４とチャネル５の区切り横壁３２とが局所的に接触していない状態を示している。
【０１２０】
図１１Ａにおいて、雄パーツ９は、雌パーツ１２の周壁１３に囲まれている。上面１６は、チャネル５の底面１０と、周辺ゾーン（peripheral zone）３１の周面３３と、を備えるように、構築されている。そして、これらの表面１０、３３が区切り横壁３２によってお互いから分離される。チャネル５の中央深さＰｃより大きい深さＰｐを有する周辺ボイド（peripheral void）３１を形成するように、周面３３チャネル５の底面１０に凹部（recess）を作る。
【０１２１】
発明者らは、チャネル５が少なくとも部分的により大きな深さの周辺ゾーン（peripheral zone）３１に囲まれるように構成することにより、チャネル５から液体が漏れることを制限することができることを強調する。
【０１２２】
実際に、図１１Ｂに示すように、キャップ１４とチャネル５の区切り横壁３２とが局所的に接触しないことにより、液体は漏れてしまいそうである。しかしながら、液体はチャネル５から毛細管現象によって流れて周辺ゾーン（peripheral zone）３１に侵入するが、チャネル５の中央深さＰｃより大きい深さＰｐのため、毛細管現象の駆動力の強さはチャネル５の毛細管現象の駆動力の強さより小さい。そのため、液体は主にチャネル５に沿って流れ、そして、チャネルの外部の周辺ゾーン（peripheral zone）３１に流れ出ない。したがって、チャネル５からの漏れは制限され、チャネル５は確実に優先的に充填される。
【０１２３】
さらに、図１１Ｃは、図１１Ｂの点線で囲む一部の拡大図であり、当該図１１Ｃに示すように、キャップ１４と上面３２ｂとが局所的に機械的に接触しないことによって周辺ゾーン（peripheral zone）３１にチャネル５から液体が流れてしまうことを制限するように、区切り横壁３２は、その外面３２ｃの位置において、その上面３２ｂとその外面３２ｃとの交差点において鋭い端部（sharp edge）を有するとともに局所的にその深さが急激に増えるように、構築される。鋭い端部（sharp edge）は、２つの平面の間の交差線であり、角度が定義され得る。深さの急激な増加は、キャップに対する内面３２ａの傾き角度より大きい角度を形成する、キャップ１４に対する外面３２ｃの傾きによって、生じる。当該実施形態においては、外面３２ｃがキャップ１４に対して約９０°の角度を形成しているのに対して、内面３２ａは約３０°の角度を形成している。このような構造によって、区切り横壁３２と接触する液体の３重線（triple line）は鋭い端部（sharp edge）の位置においてブロックされ、局所的な深さの急激な増大によって、毛細管現象による駆動力は、局所的に、周辺ボイド（peripheral void）の位置において、大幅に低減される。このように、液体は、区切り横壁３２とキャップ１４との間の局所的な空間の位置にトラップされ、チャネル５から流れ出ない。
【０１２４】
図１２Ａ及び図１２Ｂは、雌パーツ１２が雄パーツ９を収容している収集装置の一部の縦方向の断面を示す概略図であり、図１２Ａは、チャネル５及び収集カップ２の入力端部４の位置において、シーリング横断壁（sealing transverse wall）３７が周壁１３と接触している状態を示し、図１２Ｂは、シーリング横断壁（sealing transverse wall）３７と周壁１３とが局所的に接触していない状態を示す。
【０１２５】
図１０Ａ乃至図１０Ｃとともに、図１２Ａで示すように、プレート１５は、入力端面１７の位置において、シーリング横断壁（sealing transverse wall）３７を備えていてもよく、当該シーリング横断壁（sealing transverse wall）３７は、プレート１５の端部に円周方向に延びている。当該シーリング横断壁（sealing transverse wall）３７は、チャネル５の入力端部４を除き、上面１６及び底面２８と短手端部（lateral edge）２２に関して突出している。雌パーツ１２が雄パーツ９を収容するとき、当該シーリング横断壁（sealing transverse wall）３７は、周壁１３と接触し、接触カップ２の収集表面と同一平面上となる。シーリング横断壁（sealing transverse wall）３７は、当該シーリング横断壁（sealing transverse wall）３７が、チャネル５の入力端部４の位置を除いて、収集口１９の円周状の端部と接触するような寸法を有する。このように、液体サンプルが接触カップ２上に付着するとき、収集口１９の位置である入力端部４を介して、液体サンプルはチャネル５に導入される。
【０１２６】
図１２Ｂに示すように、シーリング横断壁（sealing transverse wall）３７と周壁１３とが局所的に機械に接触しないことによって、液体は周辺ゾーン（peripheral zone）３１に流れ出てしまいそうである。しかしながら、チャネル５の位置における毛細管現象による駆動力は、周辺ゾーン（peripheral zone）３１の位置における毛細管現象による駆動力より強い。そのため、液体は、周辺ゾーン（peripheral zone）３１よりも、主にチャネル５において、毛細管現象によって流れる。
【０１２７】
さらに、周壁１３とシーリング横断壁（sealing transverse wall）３７とが局所的に機械的に接触しないことによって周辺ゾーン（peripheral zone）３１に液体が流れてしまうことを制限するように、シーリング横断壁（sealing transverse wall）３７は、周辺ゾーン（peripheral zone）３１に向かう内面３７ａの位置において、その上面３７ｂとその内面３７ａとの交差点において鋭い端部（sharp edge）を有するとともに局所的にその深さが急激に増えるように、構築される。深さの急激な増加は、周壁１３に対する内面３７ａの傾きによって生じ、４５°より大きく、好ましくは、６０°より大きく、さらに好ましくは、図１２Ｂに示す９０°と同じ又は近い角度である。このような構造によって、シーリング横断壁（sealing transverse wall）３７と接触する液体の３重線（triple line）は鋭い端部（sharp edge）の位置において再度ブロックされ、局所的な深さの急激な増大によって、毛細管現象による駆動力は、局所的に、周辺ゾーン（peripheral zone）３１の位置において、大幅に低減される。このように、液体は、シーリング横断壁（sealing transverse wall）３７と周壁１３との間の局所的な空間の位置にトラップされ、周辺ゾーン（peripheral zone）３１の中へ流入しない。
【０１２８】
図１３Ａ及び図１３Ｂは、チャネル５の終端の位置におけるチャネルの端部の概略図であり、図１３Ａは上面図であり、図１３Ｂは、縦方向の断面図である。
【０１２９】
図１３Ａに示すように、２つの区切り横壁３２は、お互いに向かって収束し、チャネル５の終端８の位置において合わさる。しかしながら、２つの区切り横壁３２は、ダクト３４の形の局所的な構造を備え、チャネル５と、当該チャネル５の下流に位置する周辺ゾーン（peripheral zone）３１との間の流体連通（fluidic communication）を確実にする。当該ダクトは、通気機能（vent function）を有し、チャネル５においておそらく当初に含まれるガスを排出することができる。このように、液体サンプルの毛細管現象による導入における、チャネル５における気泡の形成のリスクを低減する。
【０１３０】
当該実施形態においては、チャネル５から離れるにしたがって、ダクト３４の幅が狭くなり、ダクト３４の深さが小さくなる。このように、ダクトは、チャネル５の反対側の端部の位置において、単なる例として、約７０μｍの最小幅と約３０μｍの最小深さを有していてもよい。
【０１３１】
図１３Ｂに示すように、凹部（recess）は、鋭い端部（sharp edge）を形成するように、且つ、局所的にその深さが急激に増えるように、底面１０と周面３３との間に形成される。深さの急激な増加は、ダクト３４の位置における、キャップ１４に対する区切り横壁３２の外面３２ｃの傾きによって生じ、当該傾きは、４５°より大きく、好ましくは、６０°より大きく、さらに好ましくは、図１３Ｂに示す９０°と同じ又は近い角度である。このような構造によって、ダクト３４の底面と接触する液体の３重線（triple line）は鋭い端部（sharp edge）の位置において再度ブロックされ、局所的な深さの急激な増大によって、毛細管現象による駆動力は、局所的に、周辺ゾーン（peripheral zone）３１の位置において、大幅に低減される。このように、液体は、ダクト３４の端部の位置にトラップされ、周辺ゾーン（peripheral zone）３１の中へ流入しない。
【０１３２】
通常、毛細管現象によって液体サンプルを集める装置は、以下を備えていてもよい：
−第１の入力端部４と第２の端部８との間で縦方向に延びるチャネル５、
・・当該チャネル５は、２つの区切り横壁３２によって横方向に区切られるとともに、チャネルの底面である底壁１０と、区切り横壁３２と接触するキャップ１４を形成する面と、によって、チャネルの深さ方向の軸に沿って区切られ、
・・当該チャネル５は、区切り横壁３２によって範囲が定められる、いわゆる周辺ゾーン（peripheral zone）３１によって囲まれているとともに、上記キャップ１４を形成する面といわゆる反対側の周面３３とによって上記深さ方向の軸に沿って囲まれており、
−キャップ１４と周面３３との間において、チャネル５の深さより深い深さを有する周辺ゾーン（peripheral zone）３１。
【０１３３】
深さは、キャップ１４を作っている上記面と反対側の面との間の、当該２つの面に実質的に直交な軸に沿う寸法を意味すると理解されなければならない。当該反対側の面は、チャネル５の場合、底面１０、又は、周辺ゾーン（peripheral zone）３１の場合、周面３３である。
【０１３４】
それぞれの区切り横壁３２は、チャネル５に向かっている、いわゆる内面３２ａ、周辺ゾーン（peripheral zone）３１に向かっている、反対側のいわゆる外面３２ｃ、内面３２ａと外面３２ｃとを連結し、キャップ１４と接触する、いわゆる上面３２ｂを備える。外面３２ｃは、上面３２ｂに対して鋭い端部（sharp edge）を有していてもよい。鋭い端部（sharp edge）は、上面と外面とを通る２つの面の交差線であり、それの位置において、その角度が定義される。
【０１３５】
キャップ１４に対して、それぞれの区切り横壁３２の外面３２ｃが傾く角度は、４５°以上であり、好ましくは６０°以上であり、さらに好ましくは、９０°と実質的に等しくてもよい。
【０１３６】
チャネル５は、プレート１５のいわゆる上面１６に位置していてもよく、周辺ボイド（peripheral void）を形成する上述の周辺ゾーン（peripheral zone）３１は、チャネル５の周囲の少なくとも部分的に、上面１６上に延びていてもよい。このように、周面３３は、底面１０に関して後退されてもよい。周辺ゾーン（peripheral zone）３１は、プレート１５の上面１６の反対側の底面２８の位置に延びていてもよく、及び／又は、上面１６と底面２８とを連結するプレート１５の長手方向端部２２の位置に延びていてもよい。
【０１３７】
少なくとも１つのスペーサー３６は、周壁１３と接触するように、底面２８に設けられていてもよい。少なくとも１つのスペーサー３５は、周壁１３と接触するように、それぞれの長手方向端部２２の位置に設けられていてもよい。このように、周壁１３がスペーサー３５、３６の１つと接触しているとき、周辺ゾーン（peripheral zone）３１は、局所的に、チャネルのいわゆる中央深さＰｃより深い深さＰｐを有する。
【０１３８】
プレート１５は、チャネル５の入力端部４がある端部横断面１７を備えていてもよく、入力端部４は、周壁１３の収集口１９に位置する。プレート１５は、チャネル５の入力端部４を形成するように、上面１６の一部を除いて、端部横断面１７の端部に部分的に円周状に延びるシーリング横断壁（sealing transverse wall）３７を備えていてもよい。シーリング横断壁（sealing transverse wall）３７は、チャネル５のいわゆる中央深さより大きい、上面１６又は底面２８に対して直角な軸に沿う寸法を有していてもよい。
【０１３９】
チャネル５は、第２の端部８の位置において、チャネル５と周辺ゾーン（peripheral zone）３１との間の流体連通（fluidic communication）のため、ダクト３４を備えていてもよい。ダクト３４の深さ、及び／又は、ダクト３４の幅は縮小されてもよい。区切り横壁３２は、第２の端部８の位置において合わさって、上記ダクト３４を形成してもよい。ダクト３４の位置における底面１０は、区切り横壁３２の外面３２ｃと、鋭い端部（sharp edge）を形成してもよい。当該外面３２ｃは、ダクト３４の位置において、周面３３と底面１０とを局所的に連結する。当該外面３２ｃは、キャップ１４に対して、４５°以上の角度、好ましくは６０°以上の角度、及び、さらに好ましくは９０°程度の角度を有する。
【図１】
2018511061.tif 000005
【図２】
2018511061.tif 000006
【図３】
2018511061.tif 000007
【図４】
2018511061.tif 000008
【図５】
2018511061.tif 000009
【図６】
2018511061.tif 000010
【図７】
2018511061.tif 000011
【図８】
2018511061.tif 000012
【図９Ａ】
2018511061.tif 000013
【図９Ｂ】
2018511061.tif 000014
【図９Ｃ】
2018511061.tif 000015
【図９Ｄ】
2018511061.tif 000016
【図１０Ａ】
2018511061.tif 000017
【図１０Ｂ】
2018511061.tif 000018
【図１０Ｃ】
2018511061.tif 000019
【図１１Ａ】
2018511061.tif 000020
【図１１Ｂ】
2018511061.tif 000021
【図１１Ｃ】
2018511061.tif 000022
【図１２Ａ】
2018511061.tif 000023
【図１２Ｂ】
2018511061.tif 000024
【図１３Ａ】
2018511061.tif 000025
【図１３Ｂ】
2018511061.tif 000026
【国際調査報告】
2018511061.tif 000027
2018511061.tif 000028
2018511061.tif 000029
2018511061.tif 000030